(57)【要約】【課題】チューブを通る流れを妨げることなくチューブの内部の部分に対する損傷を恒久的に修復することができる方法および装置を提供する。【解決手段】熱交換器チューブをはじめとする損傷したチューブを修復するための方法および装置が開示され、これはフロースループラグを損傷した熱交換器チューブ内に挿入する工程を含む。フロースループラグはテーパ状であり、熱交換器チューブ内に挿入されてプレス嵌めを形成する。フロースループラグは、この軸に沿った開口部を有し、したがって、フロースループラグを通って縦方向に流れることを可能にする。【選択図】図５
2006046898.tif 000002
【特許請求の範囲】
【請求項１】
損傷した部分を有する管状部材を有する装置を修復する方法であって、
チューブに対して実質的に軸方向に方向づけられた力でフロースループラグを管状部材内に挿入する工程、および
該フロースループラグを管状部材内に押し込み、それによって、該フロースルーチューブプラグで管状部材の損傷した部分の少なくとも一部をカバーする工程、を含み、
該フロースループラグは、長手方向軸と、流体がフロースループラグを通って流れるのを可能にするのに好適な該軸に沿った開口部とを有する方法。
【請求項２】
該フロースループラグと該管状部材との間にプレス嵌めを形成するのに十分な力で、該フロースループラグを押し込む工程をさらに含む請求項１記載の方法。
【請求項３】
該装置が、熱交換器、加熱炉および反応器からなる群から選択される請求項１記載の方法。
【請求項４】
該装置が、裏打ちチューブシートと被覆加工チューブシートとを含んでなる被覆加工されたチューブシートを含む請求項１記載の方法。
【請求項５】
該フロースループラグを管状部材内に押し込んだ後に、管状部材が該裏打ちチューブシートと固定接触の状態にあり、さらに被覆加工チューブシートが裏打ちチューブシートに固定される請求項４記載の方法。
【請求項６】
層間剥離したセクションを有するチューブシートを修復する方法であって、各該セクションがそれを通って形成されたチューブ開口部を含む方法において、
フロースループラグをチューブ開口部の少なくとも１つに挿入する工程であって、該フロースループラグが長手方向軸と該軸に沿った開口部とを有し、該フロースループラグがテーパ状である工程、および
該フロースループラグとチューブシートの各セクションとの間にプレス嵌めを形成するのに十分な力を該フロースループラグに加え、それによってチューブシートのセクションの各々を再積層する工程とを含む方法。
【請求項７】
チューブ開口部を備えた少なくとも２つのセクションを有する積層されたチューブシートを形成する方法であって、
該セクションの各々を互いに隣接して位置決めする工程、
各隣接するセクションのチューブ開口部を互いに整列配置する工程、および
各チューブシートセクションに固定的に係合するのに十分な力で、少なくとも１つのフロースループラグを該整列配置されたチューブ開口部に挿入し、それによって積層されたチューブシートを形成する工程を含む方法。
【請求項８】
該少なくとも１つのフロースループラグが長手方向軸と該軸に沿った開口部とを有し、該フロースループラグがテーパ状である請求項７記載の方法。
【請求項９】
積層されたチューブシートが、熱交換器、反応器および加熱炉からなる群から選択された装置内に配置される請求項７記載の方法。
【請求項１０】
該フロースループラグを、積層されたチューブシートへ溶接する工程をさらに含む請求項７記載の方法。
【請求項１１】
それを通るように形成された開口部を有する少なくとも１つのチューブシート、
該開口部内に挿入された管状部材、および
該管状部材内に軸方向に配置されたフロースループラグ、
を具備する装置。
【請求項１２】
該装置が、熱交換器、加熱炉および反応器からなる群から選択される請求項１１記載の装置。
【請求項１３】
管状部材内に損傷した部分をさらに有し、該フロースループラグの外側表面が損傷した部分の少なくとも一部をカバーする請求項１１記載の装置。
【請求項１４】
該少なくとも１つのチューブシートが、少なくとも２つのチューブシートセクションを含んでなる積層されたチューブシートであり、該フロースループラグが、セクションを積層接触状態に維持する積層力を形成する請求項１１記載の装置。
【発明の詳細な説明】
【技術分野】
【０００１】
本発明は、熱交換器内に配置されたチューブを含む損傷したチューブを修復するための方法および装置に関する。
【背景技術】
【０００２】
流体を運搬するために使用される管状部材は、管状部材内を流れる流体によって生じる浸食損傷を受けやすい。この管の浸食は、一つには、流体が管状部材に入るときに流体内に形成される不規則な流れパターン、たとえば、渦流に起因する。不規則な流れパターンは、速度が上昇した流体流れを管状部材内の特定の場所に対して集中させ、それによって、その特定の場所で管状部材の材料を浸食しうる。本開示の目的に適した管状部材は、様々な処理装置内、たとえば数例を挙げると、加熱炉、反応器（化学および核）および熱交換器内のチューブを含む。
【０００３】
熱交換器に関して、チューブ側内の流体の温度が熱交換器のシェル側内の流体よりもかなり高い場合に、管の浸食が発生する可能性がある。高い温度勾配における熱交換器チューブ浸食は、チューブが合金により構成されている場合に悪化する。高温腐食を受ける場合には、チューブの合金材料内の抵抗成分が、それらの元々の場所から凝結し、材料の粒界へ向けて移動する。最終的に、このことが、材料の大部分が腐食に対して保護されない結果をもたらす。この種類の損傷は、チューブ入口およびチューブ出口において問題となることが多い。図２および３において見ることができるように、浸食抵抗成分の移動が、やがてチューブ１８内における浸食または孔食を生じさせ、それによって損傷した区域２２を形成する可能性がある。典型的に、これらの損傷した区域２２は、チューブシート１０の開口部１２の開口付近および開口部１２の縁１３に発生し、この部分はたいていチューブ１８がチューブシート１０に溶接されている部分である。この種類の損傷は一般に、当業者には、熱影響されたゾーン腐食（ｚｏｎｅ  ｃｏｒｒｏｓｉｏｎ）として知られている。未点検のまま放置すると、損傷した区域２２の腐食は、チューブ１８を貫いて浸食する可能性があり、それによって、圧力勾配に依存して、チューブ側の流体が熱交換器のシェル側内に漏れるか、またはその逆が起こりうる。
【０００４】
管の浸食はまた、熱交換器チューブシートが被覆加工されるか、または積層される状況下で、損傷影響を受ける可能性もある。よく知られているように、被覆加工され、または積層されたチューブシートは、裏打ちチューブシート１６に機械的に結合された被覆加工チューブシート１４から成る（図１および２参照）。被覆加工は、典型的に、チューブ側の流体の腐食または他の過酷な影響に耐えるために特別な材料が必要である状況で使用される。腐食に抵抗する材料、たとえばジルコニウムは、高価であることが多いため、腐食抵抗材料は、コストを低減するために、より安価な材料の上に被覆加工される。しかし、被覆加工チューブシート１４を裏打ちチューブシート１６へ接着するために使用される機械的結合は、劣化する場合もあり、それにより被覆加工されたチューブシート１０が分離され、層間剥離２０の区域を与える。裏打ちチューブシート１６から被覆加工チューブシート１４が十分に層間剥離されると、被覆加工されたチューブシートの機械的な強さが減少する。層間剥離はまた、被覆加工チューブシート１４によってもたらされる保護層も除去し、これにより、裏打ちチューブシート１６がチューブ側流体の腐食影響を被る場合がある。
【０００５】
腐食したチューブに対して一般に行われる修復法としては、固体プラグ２４をチューブ１８の入口に固定することが挙げられ、これを溶接２６でさらに固定することができる。チューブを封止するこの方法は、損傷した区域２２をさらなる腐食から孤立させる役目を果たすことができるが、一度プラグ止めされると、その修復されたチューブの熱交換機能は失われ、これは言い換えれば、熱交換器の全体的な効果および効率を減少させる。損傷したチューブをプラグ止めする代替は、下記の参照で見出すことができる。すなわち、米国特許第４，９４１，５１２号、第５，２０１，１１８号、第５，１６７，９０７号である。
【０００６】
これらの代替修理は、スリーブをチューブ１８内に挿入して、損傷した区域２２を覆うこと、およびスリーブの端にローリング技術を使用してこれを開口部の縁１３に固定することを含む。この方法は、高価なローリングマシンが手元にあることを必要とし、かつチューブの端を成形するために機械を操作する技術者が必要である。残念ながら、この手順は、チューブの円周からチューブシートの溶接区域への損傷を修復することはできず、スリーブと損傷したチューブの内径の間に、さらなるチューブの損傷を防止するために必要であるバブルタイト封止（ｂｕｂｂｌｅｔｉｇｈｔ  ｓｅａｌ）を提供することができない。さらに、この手順は、被覆加工されたチューブシートの層間剥離を補修しない。
【０００７】
開口部１２の縁１３で円周溶接区域における腐食損傷に対処するため、チューブとチューブシートを溶接する修復技術もまた存在する。たとえば、開口部１２の縁１３の円周溶接区域を、機械的に研磨することができ、および新しい金属（好ましくはチューブシート１０の金属と同一材料）を従来の溶接方法を使用して適用することができる。残念ながら、この溶接修復方法は、チューブ１８の内径への損傷には対処しない。さらに、たとえばジルコニウムをはじめとする腐食抵抗金属を含む交換器の場合に、高品質の完全貫通溶接を修復状態下で達成することは実際には困難であり、試みるには非常に高価である。結論として、被覆加工されたチューブシートに対して、円周溶接修復は、層間剥離問題に適切に対処することができない。
【特許文献１】米国特許第４，９４１，５１２号明細書
【特許文献２】米国特許第５，２０１，１１８号明細書
【特許文献３】米国特許第５，１６７，９０７号明細書
【発明の開示】
【発明が解決しようとする課題】
【０００８】
したがって、チューブを通る流れを妨げることなくチューブの内部の部分に対する損傷を恒久的に修復することができる方法および装置の必要性が依然として存在する。チューブの縁におけるチューブの円周からチューブシートの溶接区域を修復するための方法および装置の必要性も存在する。さらに、前述のチューブおよび溶接の損傷と組み合わせて、または独立して、発生し得る被覆加工されたチューブシートの層間剥離を再積層し、または防止するための方法および装置の必要性も存在する。
【課題を解決するための手段】
【０００９】
本発明は、損傷した部分が存在する管状部材を有する装置を修復する方法に関する。より詳細には、本発明の方法は、チューブに対して実質的に軸方向に方向づけられた力でフロースループラグを管状部材内に挿入する工程と、フロースループラグを管状部材内に押し込み、それによって、フロースルーチューブプラグで管状部材の損傷した部分の少なくとも一部をカバーする工程とを含み、上記フロースループラグは、長手方向軸と、流体がそれを通って流れるのを可能にするのに好適な、上記軸に沿った開口部とを有する。フロースループラグは、フロースループラグと管状部材との間にプレス嵌めを形成するのに十分な力で管状部材内に押し込まれる。
【００１０】
本発明の別の態様において、層間剥離したセクションを有するチューブシートを修復する方法が提供され、チューブシートの各セクションはそれを貫いて形成されたチューブ開口部を含む。当該方法は、長手方向軸とその軸に沿った開口部とを有し、かつ、テーパ状であるフロースループラグをチューブ開口部の少なくとも１つに挿入する工程と、上記フロースループラグとチューブシートの各セクションとの間にプレス嵌めを形成するのに十分な力を上記フロースループラグに適用し、それによってチューブシートのセクションの各々を再積層する工程とを含む。
【００１１】
本発明のさらに別の態様において、チューブ開口部を備えた少なくとも２つのセクションを有する積層されたチューブシートを形成する方法が提供される。この方法は、互いに隣接するセクションの各々を位置決めする工程と、各隣接するセクションのチューブ開口部を互いに整列配置する工程と、各チューブシートセクションに固定的に係合するのに十分な力で、少なくとも１つのフロースループラグを上記整列配置されたチューブ開口部に挿入し、それによって積層されたチューブシートを形成する工程とを含む。
【００１２】
さらに別の態様において、本発明は、それを貫いて形成された開口部を有する少なくとも１つのチューブシートと、上記開口部内に挿入された管状部材と、および上記管状部材内に軸方向に配置されたフロースループラグと、を具備する装置に関する。装置は、管状部材内に損傷した部分をさらに含んでいてもよく、フロースループラグの外側表面が損傷した部分の少なくとも一部をカバーする。
【００１３】
本発明の他の、およびさらなる特徴および利点は、本発明の様々な実施形態の下記の記載から明らかである。これらの実施形態は、開示の目的のために与えられ、添付の図面と併せて考慮することができる。
【００１４】
本態様およびその利点のより完全な理解は、添付の図面と併せて理解される下記の記載を参照することによって得ることができ、図面では類似の参照符号は類似の特徴部を示す。
【発明を実施するための最良の形態】
【００１５】
本発明の一実施形態は図５に図解される。この図において、フロースループラグ２８はチューブ１８の開口内に挿入され、チューブシート１０ａの開口部１２内に配置されて示される。フロースループラグ２８は、長手方向軸と、その軸に沿って中空にされたコア開口部３４とを有する管状であることが好ましい。フロースループラグ２８を、機械加工、鍛造、または、他の任意の公知のまたは後に開発される製造方法から形成することができる。
【００１６】
一実施形態において、フロースループラグの内径は、プラグの長さ方向に沿って一定であってもよい。あるいは、フロースループラグの内側表面は、その後部端３２の内径がその前方部分３０の内径よりも大きいように、その長さ方向に沿ってテーパ状であってもよい。さらに別の実施形態において、フロースループラグの内側表面の形状は、フロースループラグを通る圧力低下が最小であるように、集中／分岐ノズルまたはベンチュリ形状であってもよい。フロースループラグの内側表面を研磨して付着物の発生を減少させることもできる。
【００１７】
フロースループラグ２８の外側表面は、その後部端３２の外径がその前方部分３０の外径よりも大きいように、その長さ方向に沿ってテーパ状であってもよい。図４に示されたテーパは、この特徴を図解するために誇張されている。フロースループラグ２８のテーパ寸法は、１メートル当たり０．８３センチメートル（１フィート当たり０．１インチ）ほどの低い傾斜から、１メートル当たり５０センチメートル（１フィート当たり６インチ）を超える範囲とすることができるが、本発明は任意のサイズのテーパを適用することができる。テーパの傾斜がフロースループラグ２８の長さ方向に沿って実質的に一定とすることもできるが、傾斜が変化するテーパを含む代替の実施形態もまた有用であり得ることが企図される。一実施形態において、フロースループラグ２８の外側表面は、その後部端３２の外径が中間点３１まで実質的に一定であるように、一定の直径であってよく、中間点３１から前方部分３０へ向けて変化する、すなわちフロースループラグは、中間点３１の外径がその前方部分３０の外径よりも大きいように、その長さ方向に沿ってテーパ状であってもよい。フロースループラグ２８は、１以上の外部の幾何学的特徴部を組み込んでもよく、たとえば、リブ（ｒｉｂ）、ベーン（ｖａｎｅ）、バッフル（ｂａｆｆｌｅ）、ディンプル、ギザギザ状、旋条または口広げ加工が挙げられるが、それらに限定されない。さらに、フロースループラグ２８の外側表面は、ネジ山で輪郭づけることができ、粗くすることができ、または、刻み付き表面を設けることができ、それによって、フロースループラグ２８がチューブシート１０内に取り付けられる際の、フロースループラグ２８に対するさらなる接続手段を提供する。
【００１８】
図５に示されるように、フロースループラグ２８のテーパ状の長さによって、フロースループラグ２８の前方部分３０がチューブ１８内の有限距離へ挿入され、その中にプレス嵌めすることができる。プレス嵌めは、フロースループラグ２８の外側表面とチューブ１８の内側表面の接触面に沿って、この接触面をこえて流体が流れるのを防止するのに十分な圧力封止を形成しなければならない。したがって、フロースループラグ２８の前方部分３０がチューブ１８の損傷した部分２２を覆って伸び、それによって、損傷した部分２２が、フロースループラグ２８の外側表面の一部に接触し、かつ、それによって少なくとも部分的にカバーされることを確実にすることが重要である。チューブ１８の損傷した部分２２の表面全体がフロースループラグ２８によってカバーされ、流体がチューブ１８から損傷した部分２２を通って漏れるのを防止することができる。
【００１９】
典型的に、フロースループラグ２８を、ハンマーによってチューブ１８内に手作業で押し込むことができるが、自動化された手段によって適所に押し込むこともでき、または、他の任意の公知の方法もしくは後に開発される方法によって押し込むこともできる。適切なプレス嵌めを形成するために必要な力の量は、当業者の能力の範囲内であり、特別な実験なしで決定することができる。任意に、フロースループラグ２８の外径がチューブシート１０ａの前部表面に接触する領域のまわりに、溶接４０を形成することができる。溶接４０は、一度チューブ１８内にプレス嵌めされればフロースループラグ２８を適所に保持するために必要ではないが、フロースループラグ２８が、設置後に動くのを防止するために補助措置としてこれを加えることができる。フロースループラグ２８に任意の溶接４０を適応するためには、フロースループラグ２８の後方部分３２がチューブシート１０と同一平面上にあってはならず、むしろ、チューブシート１０から外へ向けて突出しなければならない。
【００２０】
フロースループラグ２８は、熱交換器とともに使用されるのに好適な任意の材料から作ることができ、数例を挙げると、たとえば、カーボンスチール、ステンレス鋼、インコネル、タンタル、および、ジルコニウムが挙げられる。さらに、フロースループラグ２８は、一般に耐食性ではないと思われる基材から構成することができ、たとえば、浸食に耐えることができるカバー（たとえば、ガラス、エポキシ、エラストマー、フルオロポリマー（たとえば、ＴＥＦＬＯＮ（登録商標））、または上記に挙げられた金属の１つ）と組み合わさたカーボンスチールが挙げられる。いくつかの実施形態において、フロースループラグは、シリコンニトリド、アルミナおよびシリコンカーバイトを含むリストから選択された１以上のセラミック材料を含んで成り得る。しかし、結果的に、使用される実際の材料は、チューブシート（１０、１０ａ）およびチューブ１８の材料、ならびにフロースループラグ２８が受ける流体の種類および操作条件に依存する。
【００２１】
次に、図６を参照すると、フロースループラグ２８はチューブ１８内に挿入されて示され、チューブ１８は積層されたチューブシート１０内に位置決めされる。ここで、フロースループラグ２８は、その前方部分３０がチューブの損傷した区域２２を覆ってチューブ１８内に施されるように、チューブ１８内にプレス嵌めされる。上記のように、チューブ１８内にフロースループラグ２８が適切にプレス嵌めされると、フロースループラグ２８とチューブ１８との間の領域を封止し、それによって、損傷した区域２２を通って流体が流れるのを防止する。前方部分３０がチューブシート１０の被覆加工チューブシート１４と裏打ちチューブシート１６のセクションの両方を越えて伸びるべきであることを指摘しなければならない。本発明のフロースループラグ２８を積層されたチューブシートに設置する利点の１つは、フロースループラグ２８とチューブ１８との間のプレス嵌めが、被覆加工および裏打ちのチューブシート（１４、１６）の両方の開口部１２の内径に対して、チューブ１８の外径を押しつけることである。チューブ１８および開口部１２の相互作用から生じる応力は、フロースループラグ２８と、被覆加工チューブシート１４および裏打ちチューブシート１６の両方との間に機械的結合を形成する。さらに、被覆加工および裏打ちのチューブシート（１４、１６）の間の接触面１５にギャップ１７が存在する場合には、チューブ１８の外径は、フロースループラグ２８の存在によって変形することができ、ギャップ１７内に押し込められる。したがって、図６に示されるように、チューブ１８内にフロースループラグ２８をプレス嵌めすることで、言い換えると、被覆加工チューブシート１４を裏打ちチューブシート１６に結合させる。このように、本発明の多くの利点の１つは、積層されたチューブシートのセクションを一緒に結合することができることである。この特徴は、層間剥離した複数のセクションを有するチューブシートを修復するために利用することができ、ならびに、新しい積層されたチューブシートを形成するために利用することができる。ここでもまた、任意の溶接４０を使用して、フロースループラグ２８をチューブシート１０に接着するのを確実にすることができる。
【００２２】
フロースループラグ２８は、従来の固体プラグを設置するために使用する同様のやり方で、チューブ１８内に設置することができる。先に指摘したように、熱交換器の最初の製造過程において、チューブシートの縁１３に近接するチューブ１８の縁は、「ロールされ」、チューブシート１０との接触を固定的にする。チューブ１８をロールする力はチューブ１８の内径に加えられるが、内径は、チューブ１８の外径に比較的平行なままである。したがって、テーパ状にされたフロースループラグ２８を受け入れるために、対応するテーパが、フロースループラグ２８を設置する前に、チューブ１８の内径内にリーマ仕上げされることが可能である。任意の従来の手段を使用して、たとえば、限定するわけではないが、ジャーノー（Ｊａｒｎｏ）テーパで、チューブ１８の内径をリーマ仕上げすることができる。リーマ作用の実施は、熱交換器の特定の状況の分析に基づいており、たとえば、過度の腐食およびまたはスケールを有するチューブは、リーマ仕上げをもっとも必要とし、一方、薄い壁を有するチューブは、リーマ仕上げされるべき十分な材料を有さなくてもよい。さらに、フロースループラグ２８がチューブ１８内にプレス嵌めされるときに、チューブ１８が、フロースループラグ２８の外側形状に適合するため十分展性のある金属を含んで成る場合に、リーマ仕上げは不必要であり得る。けれども、リーマ仕上げが必要か否かを決定することは、当業者の能力の範囲内である。チューブ１８をリーマ仕上げすることは、チューブ１８の開口内にテーパ状にされたフロースループラグ２８を挿入することを可能にし、さらにフロースループラグ２８のまわりに十分な嵩を提供し、言い換えれば、フロースループラグ２８が開口部１２を経て打ち込まれるときに、チューブシート１０の開口部１２の内径を押しつける。
【００２３】
本発明の代替の実施形態において、図７に示されるように、フロースループラグ２８ａの実施形態に併せて、カラー４２が含まれる。カラー４２は、断面図に見られるように、フロースループラグ２８ａの一部を囲み、フロースループラグ２８ａの外径のテーパに整合するようにその内径に沿って先細になる。カラー４２の外径は、チューブ１８内に押し込まれ、チューブ１８内の損傷した部分２２をカバーするように適切にサイズ設定することができ、チューブ１８を通る漏れを防止する。カラー４２の存在は、被覆加工されたチューブシートの場合には、カラー４２の存在によって生じたチューブ１８の外向きに方向づけられた半径方向の力がチューブシートの被覆加工された部分を一緒に接着することができるように、チューブ１８を半径方向に外向きに促すこともできる。任意に、カラー４２は、追加のフロースループラグ２８ａなしで、チューブ１８内に設置することができる。場合によっては、カラー４２および代替設置のフロースルーチューブプラグ２８ａを具備する２片アセンブリを使用することが有益であり得、すなわち、カラー４２およびフロースルーチューブプラグ２８ａは、図７に示されるように、最初にチューブ１８内に挿入される。プレス嵌めされるのに続いて、フロースルーチューブプラグ２８ａが取り外される。任意の円周溶接が、チューブシートとカラー４２との間に加えられてもよい。かかる実施形態において、この修正された設置方法は、カラー４２が、本発明の修復方法でフロースルーチューブプラグの機能的利点を提供することを可能にする。
【００２４】
本発明のフロースループラグ２８は、様々な種類の装置内に配置された管状部材の修復に使用することができ、たとえば、様々な種類の処理ユニットであり、たとえば、熱交換器、加熱炉、反応器、および、管状部材を有する他の流体を扱う機械設備が挙げられるが、それらに限定されない。たとえば、本発明の方法は、強制循環型および熱サイフォン型の蒸留カラムリボイラーの何れにも使用することができ、たとえば、これらに限定されないが、アクリル酸、アクリル酸エステル、アクリロニトリルおよびスチレンを含む材料の精製に使用される蒸留カラムリボイラーが挙げられる。かかるリボイラーは、配管要素によって蒸留カラムに接続される別個の容器、ならびに一体型熱移動装置、たとえば、蒸留カラムの下部（サンプ）部分内に組み込まれ得るバヨネット型交換器を含むことができる。
【００２５】
同様に、管状部材を具備する他の交換器、たとえば、これらに限定されないが、凝縮器、加熱器、気化器、冷却器、中間冷却器およびクロス交換器が、本発明の方法を使用することから利益を得ることができる。これらは、材料、たとえばこれらに限定されないが、メタクリル酸、メタクリル酸エステル、メタクリロニトリルおよびシアン化水素を製造するための方法において見出すことができる。たとえば、本発明の方法は、メチルメタクリレート（ＭＭＡ）またはメタクリル酸（ＭＡＡ）を生産する過程に使用されるシェルおよびチューブ型の分解反応器の予加熱器、加熱器および冷却器を修復するのに好適であり、たとえば米国特許第６，５４５，１７６号に記載されたものが挙げられ、その全体が参照として本明細書に組み込まれる。
【００２６】
本発明の方法をまた、直接燃焼式蒸気ボイラーに、ならびに、管状部材を具備する、加熱炉、焼却炉、熱酸化機およびガスタービンシステムに関連した廃熱回収ボイラーに、有益に使用することができる。本発明の方法は、たとえば、熱酸化機システムの廃熱回収蒸気ボイラー内のチューブの修復に好適であり、たとえば、アクリロニトリルを生産する過程に使用されるシステムであり、および米国特許出願公開第２００４／００９３８６０号に記載されたものであり、その全体が参照として本明細書に組み込まれる。さらに、本発明の方法を、冷蔵システム、冷却器、ブライン冷却器および空調装置内の管状部材を修復するのに有益に使用することができる。
【００２７】
上述の実施例に加えて、本発明の方法を交換器とともに使用することができ、チューブ側流体は、たとえば硝酸または合成用ガス（合成ガス）の生産に使用される急冷交換器におけるような、（液体よりむしろ）プロセスガスである。本発明の方法は、シアン化水素の生産に使用されるシェルおよびチューブ型の急冷交換器を修復するために使用することができ、いくつかの実施形態は、たとえば米国特許出願公開第２００１／００４００２４号明細書に記載されており、それは、その全体が参照として本明細書に組み込まれる。本発明のフロースループラグは、フェルールと組み合わせて有益に使用することができることがさらに企図され、インコネル、アルミナ、シリカ、シリコンカーバイド、および、シリコンニトリドから形成されたフェルール、および、たとえば米国特許出願公開第２００１／００４００２４号に記載されているものを含む。同様に、ガスからガスへの交換器の管状部材、たとえば、直接燃焼式予加熱器および復熱装置に使用されるものもまた、本発明の方法からの利益を享受し得る。
【００２８】
上記のように、本発明の使用は、熱交換器および加熱炉に限定されず、したがって、本発明の方法を、流体を運搬するために有用な任意の種類の管状部材の修復または建造にも使用することができる。たとえば、本発明を使用して、たとえば部分酸化反応器および核反応器をはじめとするチューブを具備する反応器を修復することができる。チューブを具備する部分酸化反応器の例として、たとえばこれらに限定されないが、（メタ）アクロレイン、（メタ）アクリル酸、無水マレイン酸、塩化ビニルモノマー（ＶＣＭ）およびエチレンオキシドの生産に使用されるものが挙げられる。本発明の方法は、１以上の触媒含有管状部材を具備する反応器、たとえば、プロピレンおよびプロパンを含む炭化水素からアクロレインおよびアクリル酸を生産する過程に使用される反応器等、を修復するのに好適である。そのような反応器は、たとえば、米国特許第６，３８４，２７４号に記載されており、それは、その全体が参照として本明細書に組み込まれる。
【実施例】
【００２９】
非限定的な例において、本発明の修復方法が、メタクリル酸（「ＭＡＡ」）およびメタクリル酸エステル（たとえば、メチルメタクリレート、「ＭＭＡ」）の生産に伴うプロセスに使用された。より具体的には、本発明の方法は、硫黄含有残留流れから有機成分をストリッピングまたは除去するためのプロセス中に、熱を導入するシェルおよびチューブ型の熱交換器に使用された。この特定の熱交換器が配置される特定のストリッピングプロセスは、係属中の米国特許出願公開第２００２／０１９２１３１号に詳細に説明されており、その全体が参照として本明細書に組み込まれる。
【００３０】
実施例の熱交換器は、おおよそ、約５５０のジルコニウムチューブ（内径１．３７０インチ（３．４８センチメートル、「ｃｍ」））で構成されていた。これらのチューブは、ロールされてジルコニウム被覆加工されたチューブシートに封止溶接された。ジルコニウム被覆加工されたチューブシートは、公称３／８インチ（０．９５ｃｍ）厚のジルコニウム被覆加工チューブシートが公称２インチ（５ｃｍ）厚のカーボンスチール裏打ちチューブシートに、エクスプロージョン被覆加工された構成であった。硫黄含有残留物は、硫酸および水を含み、１１５°Ｃ（２４０°Ｆ）から１４３°Ｃ（２９０°Ｆ）の間の温度で交換器のチューブ側を通って絶えず循環した。交換器のシェルは、カーボンスチールより成っていた。中圧蒸気（およそ５．２×１０５Ｐａ（７５ポンド／平方インチ ））が、シェル側加熱媒体として使用された。
【００３１】
数年にわたるの商業運転で、合計で熱交換器の当初のチューブのおよそ１０％が損傷した。この損傷は、定期的に行われる機械的な検査によって確認され、その後、各プラグとチューブシートとの間の円周封止溶接と組み合わせて従来の固体プラグを使用して、損傷したチューブを封止することによって対処された。これらのチューブを封止することによって、交換器をストリッピングプロセスの運転へ戻すことが可能であった。しかし、損傷したチューブをプラグ止めする影響は、交換器の利用可能な熱移動表面のおよそ１０％の損失であり、生産能力においてこれに相当する損失をともなった。
【００３２】
その後、商業運転後の機械的な検査により、円周溶接損傷、重大な内部チューブ壁の腐食およびチューブ壁の穿孔を含む重大な、熱影響ゾーン腐食、を有する９７のさらなるチューブが確認された。穿孔されたチューブの場合には、裏打ちチューブシートの腐食の形跡および被覆加工されたチューブシートに生じた層間剥離も確認された。
【００３３】
損傷の程度を考えると、損傷したチューブを封止するために従来の固体プラグを使用することは実用的ではない。それは、結果として交換器の残っている熱移動表面のさらに２０％の損失を生じさせ、ストリッピングプロセスを所望の生産能力よりもかなり下まわる稼動を強制することとなるからである。ジルコニウム熱交換器を完全に取り換える出費を回避するために、本発明の修復方法を使用することが提案された。
【００３４】
本発明の修復方法にしたがって、損傷したチューブの各々の内部は、最初に、従来の＃１２サイズのジャーノーテーパを使用して、リーマ仕上げされた（１メートル当たり５センチメートル（１フィート当たり０．６インチ））。リーマ仕上げの正確な深さは、チューブ損傷の程度、フロースループラグの寸法、および、各チューブの相対的な丸みに依存し、チューブによって幾分変動した。しかし、典型的に、リーマ仕上げ器具は、０．０１メートル（０．５インチ）から０．０５メートル（２インチ）までの深さのチューブ内に挿入された。
【００３５】
次いで、リーマ仕上げ後に、図４に示された種類の０．０５メートル（２インチ）長さのジルコニウムのフロースループラグが、手でチューブの端内に挿入された。フロースループラグの外側表面は、その後部端の外径が約０．０４メートル（１．４９インチ）でありその前方部分の外径が約０．０３メートル（１．３９インチ）であるように、その長手方向に沿って先細であった。フロースループラグは、０．０２８メートル（１．１２５インチ）の軸に沿って、一定の内径を有した。次いで、フロースループラグは、プラグが完全に位置するまでハンマーを使用してチューブ内に手作業で打ち込まれた。一般に、フロースループラグは、チューブ内に０．０１メートル（０．５０インチ）から０．４４５メートル（１．７５インチ）までの深さが得られた場合に、完全に位置することが分かった。配置させた後に、チューブシートとフロースループラグとの間に円周封止溶接が加えられた。
【００３６】
修復の完了時に、熱交換器は、ストリッピングプロセスの運転へ戻り、熱交換器表面積積の顕著な損失なしで作動することが分かった。所望の生産能力で９ヶ月連続操作した後に、交換器は再度停止され、検査された。重大な新しい損傷は確認されず、修復は必要なかった。フロースループラグに目に見える損傷は見つからず、交換器は再度、ストリッピングプロセスの運転へ戻った。このようにして、この実施例から、本発明の修復方法は、チューブを通る流れを妨げることなく、損傷したチューブおよび被覆加工されたチューブシートの層間剥離を修復しするのに効果的であることが理解され得る。
【００３７】
したがって、本明細書に記載された本発明は、目的を実行し、かつ、述べられた目的および利点、さらに他のそれらに特有なものを実現するように適合される。本発明のいくつかの実施形態が、開示の目的のために提供されているが、所望の結果を達成するために、手順の詳述に多数の変更がなされてもよい。たとえば、本発明は、たとえば（メタ）アクリル酸および（メタ）アクリル酸エステルの精製に使用されるような、強制循環型および熱サイフォン型の蒸留カラムリボイラの何れの修復に使用されてもよい。本発明はまた、急冷交換器を修復するのに使用されてもよく、チューブ側流体は、たとえばシアン化水素、硝酸または合成用ガス（合成ガス）の生産に使用される装置における、（液体よりむしろ）気体である。さらに、本発明は熱交換器に限定されず、流体を運搬するのに有用な任意の種類の管状部材の修復に使用することができる。さらに、本発明は、浸食に対する予防的措置として、ならびに被覆加工されたチューブシートのセクションを一緒に結合するかのいずれかで、新しく作られた熱交換器に使用することができる。さらに、本発明の保護的特徴は、チューブの浸食を防止するために損傷していない既存の熱交換器に使用することができる。これらの、および他の類似の修正は、当業者に容易に連想され、本明細書に開示された本発明の精神および添付の特許請求の範囲の範囲内に含まれることが意図される。
【図面の簡単な説明】
【００３８】
【図１】被覆加工されたチューブシートの斜視図である。
【図２】関連チューブを備えた熱交換器の積層されたチューブシートの部分切欠図を表す。
【図３】チューブシートの一部の斜視図を示す。
【図４】本発明のフロースループラグの実施形態の図を描く。
【図５】熱交換器のチューブ内に挿入された本発明のフロースループラグの実施形態の断面図である。
【図６】積層されたチューブシートを有する熱交換器のチューブ内に挿入された本発明のフロースループラグの実施形態の断面図を描く。
【図７】本発明の代替の実施形態の切欠図を示す。
【符号の説明】
【００３９】
１０  チューブシート
１０ａ  チューブシート
１２  開口部
１３  縁
１４  被覆加工チューブシート
１５  接触面
１６  裏打ちチューブシート
１７  ギャップ
１８  チューブ
２０  層間剥離
２２  損傷した区域、損傷した部分
２４  固体プラグ
２６  溶接
２８  フロースループラグ
２８ａ  フロースループラグ
３０  前方部分
３１  中間点
３２  後部端、後方部分
３４  コア開口部
４０  溶接
４２  カラー
【図１】
2006046898.tif 000003
【図２】
2006046898.tif 000004
【図３】
2006046898.tif 000005
【図４】
2006046898.tif 000006
【図５】
2006046898.tif 000007
【図６】
2006046898.tif 000008
【図７】
2006046898.tif 000009
【外国語明細書】
2006046898000001.pdf
2006046898000002.pdf
2006046898000003.pdf
2006046898000004.pdf